(57)【要約】移動局は処理回路とメモリを含む。予め定めたシステム取得手続に従って、無線通信システムの一つのグループが選択される。選択された各システムに対応する受信信号は、その選択されたシステムが移動局によって取得される尤度を決定するために解析される。選択されたシステムのグループは、解析の結果に基づいて優先順位をつけ直され、より効率的なシステム取得手順を生成する。次に、移動局は、システム取得手順に従って選択された無線通信システムの取得を試行する。
2006504291.tif 000002
【特許請求の範囲】
【請求項１】
無線通信システムのリストを格納する移動局において、システム取得手続が、
予め定めたシステム取得手続に従って、前記リストから、無線通信システムの一つのグループを選択するステップであって、前記無線通信システムのグループは第１のシステム取得順序を有しており、
各選択されたシステムに対して信号品質を測定するステップと、
測定信号品質に従って無線通信システムのグループの優先順位をつけ直すステップであって、前記無線通信システムの優先順位をつけ直されたグループは第２のシステム取得順序を有しており、
前記第２のシステム取得順序に従って最高優先度を有する無線通信システムの取得を試行するステップとを含むシステム取得方法。
【請求項２】
無線通信システムのリストは地域識別子を含む好適ローミングリストであり、無線通信システムのグループを選択するステップは、移動局の現在の地域を決定することおよび移動局の現在の地域に対応する地域識別子を有するリストされた無線通信システムを選択することを含み、
第１のシステム取得順序は、好適ローミングリストの中で選択された無線通信システムの相対的順序に基づいている請求項１に記載の方法。
【請求項３】
好適ローミングリストの中で特定された各無線通信システムは、対応する望ましさレベルと、同じレベルの望ましさを共有する少なくとも二つの選択されたシステムとを有し、
優先順位をつけ直すステップは、同じ望ましさレベルを共有する選択されたシステムの探索と、測定された信号強度により探索されたシステムの並べ替えとを含む請求項２に記載の方法。
【請求項４】
好適ローミングリストの中で特定された各無線通信システムは、対応する望ましさレベルを有し、優先順位をつけ直すステップが、
各選択されたシステムに対し、測定信号強度に基づき対応する望ましさレベルを調整するステップであって、調整された望ましさ基準は無線通信システムのグループに格納され、
調整された望ましさレベルによって無線通信システムのグループを並び替えるステップとを含む請求項３に記載の方法。
【請求項５】
優先順位をつけ直すステップは、選択されたシステムの対応する測定信号品質が最小閾値を満足することに失敗した場合、選択されたシステムをグループから除外することを含む請求項１に記載の方法。
【請求項６】
信号品質を測定するステップは、受信信号のＥＣ／Ｉ０比を計算することを含む請求項１に記載の方法。
【請求項７】
好適ローミングリストであって、第１の複数のシステム識別子と対応する取得パラメータを含む好適ローミングリストと、
予め定めたシステム取得手続に従って、好適ローミングリストから複数の無線通信システムを選択するように適合された処理回路であって、前記選択された無線システムは対応するシステム取得順序を有しており、
前記処理回路は、各選択されたシステムの信号品質を測定し、かつ前記測定された信号品質に基づいてシステム取得順序を変更するようにさらに適合されており、前記変更されたシステム取得順序はシステム取得処理の効率を増加させるような処理回路とを含む移動局。
【請求項８】
選択された無線通信システムは、対応する望ましさ基準を含み、
処理回路は、対応する信号強度測定値が第１の閾値を超えるなら、選択されたシステムの対応する望ましさ基準を調整するようにさらに適合され、かつ調整された望ましさ基準を用いて選択された無線通信システムを並べ直すように適合された請求項７に記載の移動局。
【請求項９】
各システムに対する測定信号品質は、受信信号の信号対雑音比を含み、前記信号対雑音比は対応するシステムが取得される尤度に対応する請求項７に記載の移動局。
【請求項１０】
ＣＤＭＡおよびＡＭＰＳモードで動作するように適合された多モード移動局において、無線通信システムを取得する方法が、
候補通信システムに関連しているチャネル上で受信された信号を解析するステップと、
前記受信信号の解析に基づいて、候補通信システムが移動局による取得可能の見込みがあるかどうかを決定するステップと、
候補通信システムが取得可能の見込みがある場合にのみ、候補通信システムの取得を試行するステップとを含む方法。
【請求項１１】
解析のステップは、候補通信システムに関連しているチャネルへの切り替えと、受信信号の信号品質のテストとを含む請求項１０に記載の方法。
【請求項１２】
移動局は既知の通信システムのテーブルを含み、各既知の通信システムは相対的な望ましさを持っており、候補通信システムは既知の通信システムの前記テーブルから予め定めたシステム取得手続に従って選択される請求項１１に記載の方法。
【請求項１３】
テストされた信号品質は、受信信号強度測定値である請求項１１に記載の方法。
【請求項１４】
テストされた信号品質は、受信信号の信号対雑音比である請求項１１に記載の方法。
【請求項１５】
候補通信システムは、測定信号品質が予め定めた閾値を超える場合、利用可能の見込みがある請求項１１に記載の方法。
【請求項１６】
一組の候補通信システムを選択するステップをさらに含む請求項１１の方法であって、解析と決定のステップは各候補通信システムに対してその組の中で繰り返され、試行のステップは最も取得される見込みのある候補通信システムに対して実行される方法。
【請求項１７】
測定信号品質の順に候補通信システムを並べ替えるステップをさらに含む請求項１６の方法であって、並べ替え順序は候補通信システムの前記組に対して取得順序を定める方法。
【請求項１８】
無線機器において、
無線機器の現在の地域内で複数の候補通信システムを特定するように適合させたシステム決定ユニットと、
システム決定ユニットと結合した捜索器であって、無線通信システムが取得される尤度を決定するために、少なくとも一つの特定された無線通信システムの信号品質を解析するように適合させた捜索器とを含む集積回路
【請求項１９】
前記捜索器は各特定された無線通信システムに対応する受信信号強度を測定する請求項１８に記載の集積回路。
【請求項２０】
前記捜索器は各特定された無線通信システムに対する受信信号の信号対雑音比ＥＣ／Ｉ０を計算する請求項１８に記載の集積回路。
【請求項２１】
集積回路はシステム決定ユニットに結合したメモリをさらに含み、前記メモリは既知の通信システムのリストを格納し、各既知の通信システムは関連する地域および相対的望ましさを有しており、
捜索器によって解析された複数のシステムは、システム決定ユニットによってシステムテーブルから選択される請求項１８に記載の集積回路。
【請求項２２】
システム決定ユニットは捜索器へ命令を伝送するように適合され、命令はテスト識別子を含み、
受信命令に応じて、捜索器は、少なくとも一つの特定された無線通信システムの信号品質を、テスト識別子によって特定されたテスト方法を用いて解析する請求項１８に記載の集積回路。
【請求項２３】
伝達された命令は一つの閾値をさらに含み、捜索器は、少なくとも一つの解析された信号品質がその閾値を超える時、通知メッセージをシステム決定ユニットに送る請求項２２に記載の集積回路。
【発明の詳細な説明】
【技術分野】
【０００１】
関連出願
この出願は２００２年２月５日に出願された米国仮特許出願番号６０／３５５，７４２の優先権を主張する。
発明の分野
本発明は一般的には無線通信に関する。より詳細には、無線通信システムの効率的選択並びに取得のための方法と装置に関する。
【背景技術】
【０００２】
移動機器はその地域でしばしば２つ以上の無線通信システムとの接続手段を有する。各システムによって使用される装置、移動機器の特徴、移動機器とローカル基地局間の距離、ビルや丘などの物理的な障害物、および各システムの上の通信トラヒック量によって、システムごとに移動機器が利用可能な無線サービス品質は異なることがある。また、無線通信システムは符号分割多元接続（ＣＤＭＡ）、広帯域ＣＤＭＡ（ＷＣＤＭＡ）、先進移動電話サービス（ＡＭＰＳ）、ＧＳＭ、汎用パケット無線サービス（ＧＰＲＳ）または高データ信号速度（ＨＤＲ）技術（たとえば１ｘＥＶ技術）などの異なる多元接続無線通信プロトコルをサポートしているかもしれない。さらに、一日の時刻、無線通信システムとの接続時間および移動機器が無線通信システムの加入者としてリストされているかどうかによって、移動機器のユーザに請求される料金が変わるかもしれない。
【０００３】
望ましい無線通信システムの選択を助けるために、従来の移動機器は、好適ローミングリスト（ＰＲＬ）に既知のシステムを記述したデータを格納している。ＰＲＬは既知の各無線通信システムに対するシステム識別子（ＳＩＤ）とネットワーク識別子（ＮＩＤ）を格納するシステムテーブル、および既知の無線通信システムに対する帯域、周波数、およびモードを含む取得パラメータを格納する取得テーブルを通常含む。システムテーブルの中で、無線通信システムは、しばしば地域によってグループ化され、各地域の中で最も望ましいシステムから最も望ましくないシステムまで並べ替えられる。また、特定の地域で最も望ましいシステムは、通常は加入者システムであるが、低価格かつ高いサービス品質の好ましい組み合わせを移動機器に提供するローミングシステムであるかもしれない。ローミングシステムは、通常の加入サービスよりはるかに高い料金で非加入移動局に無線サービスを提供する。また、移動機器がその加入サービスのカバーする地域外の地域に入る時、加入サービスが妨害されるかそうでなければ取得できない時、または加入サービスが容認できないほど低い品質レベルでしか利用できない時には、ローミングシステムは望ましいかもしれない。
【０００４】
移動機器が始動する間、現在位置している地域において移動機器が利用できる最も望ましい無線通信システムの取得とそのシステムへの登録の試行がなされる。一つの方法では、移動機器は、現在位置している地域を識別して、次に、識別された地域内で最も望ましいシステムから識別された地域で最も望ましくないシステムまで、システムの取得とシステムへの登録の試行が成功するまでシステムテーブル内の記入項目を一つずつ試みる。また、移動機器は、動作中に、新しい無線通信システムの取得と登録の試行をするかもしれない。例えば、移動機器が新しいシステムの取得を要求して、移動機器と接続中の無線通信システムとの接続は切断されるかもしれない。さらに、移動機器の位置とその周囲環境の変化に応じて、移動機器が利用可能な無線通信システムは変化するかもしれない。高品質と低価格の最良の組合わせを移動機器のユーザに提供するために、多くの移動機器は、移動機器が使用中の無線通信システムよりも望ましい無線通信システムの取得と登録を定期的に試行する。移動機器はその地域内で移動機器が使用している現システムより望ましい無線通信システムのために、システムテーブルを捜索し、もし、より望ましいシステムがシステムテーブルで見つけられると、移動機器は使用中の通信チャネルを切り離し、より望ましいシステムの一つの取得と登録を試行するだろう。
【０００５】
上で説明されたシステム取得手順のようなシステム取得手順は、信号の取得と、対応する無線通信システムへの登録について、続けて失敗した後にシステム取得と登録に一回成功するような試行をしばしば含むだろう。好適ローミングリストは５０以上のシステムを通常含み、一定の条件の下では移動機器は取得試行が成功する前に、好適ローミングリストの中のシステムを一つずつ調べるために６０秒以上を費やすかもしれない。これらの取得試行の失敗は、一般的であり、さまざまな要素によって引き起こされるうる。例えば、もしパイロット信号が物理的な障害物によって妨害もしくは弱められる時、またはもし基地局のカバレッジ領域の外に移動機器がある時には、移動機器はシステム基地局から送信されるパイロット信号を検出できないかもしれない。移動機器とシステムが互換性のないプロトコル改訂版とハードウェアを使用するか、またはそうでなければ、システムが移動機器の登録試行を拒絶すると、システムへの登録は失敗するかもしれない。
【発明の開示】
【発明が解決しようとする課題】
【０００６】
したがって、当技術分野において、無線通信システムの効率的選択および取得のための方法と装置に対する要求がある。
【課題を解決するための手段】
【０００７】
本発明は、無線通信システムの効率的選択および取得のための方法と装置である。好ましい実施例では、予め定めたシステム取得手続に従って、移動局が無線通信システムの一つのグループを選択する。選択されたシステムのグループには、無線サービスプロバイダが定めている選択順位などの選択順位があり、この選択順位はシステム取得と登録試行中に移動局によって使用されうる。次に、選択された各システムに対応する受信信号は、各対応システムが移動局で取得される尤度を決定するために解析される。さらに、上記無線通信システムグループは、解析の結果に基づいて、より効率的なシステム取得順序を作るために優先順位をつけ直される。移動局は、そのグループによって特定された取得順位に従って、優先順位をつけ直された無線通信システムのグループ内のシステムの一つの取得と登録を試行する。
【０００８】
好ましくは、移動局は処理回路、メモリ、通信用送受信機、およびアンテナを含む。処理回路は移動局の動作を制御するための制御プロセッサ、信号処理器、捜索器、およびシステム決定ユニットを含む。好ましい実施例において、移動局はマルチモード機器であり、処理回路は、ＣＤＭＡかＡＭＰＳモードのどちらかで作動するように適合される。メモリは、好ましくは、システムテーブル、取得テーブル、および候補リストのような少なくとも一つのルックアップテーブルを含み、好適ローミングリストを格納する揮発性および不揮発性のランダムアクセスメモリーを含む。システム決定ユニットは、システム取得手続に従って、システムテーブルから少なくとも一つの無線通信システムを選択するように適合される。好ましい実施例において、システム決定ユニットは、候補リスト中に選択された複数のシステムを格納し、候補リスト中の各システムに対応する受信信号を解析するよう捜索器に命令する。リストされた各システムに対し、捜索器は送受信機に対し、システムの対応するチャネルに切り替えるように命令し、受信信号が解析される。受信信号の解析は、各システムの受信信号強度（Ｒｘ）の測定、信号対雑音比ＥＣ／Ｉ０の測定、または、テストに要する時間が完全なシステム取得と登録の試行に要する時間より短ければ、他のテストを含むかもしれない。他のテストとは、候補システムが取得される見込みがあるかどうかの決定を助けるテストである。
【０００９】
各システムが解析された後に、選択されたシステムのグループは解析の結果に基づいて優先順位をつけ直される。好ましい実施例において、最高取得尤度を持つシステムが最初に選択されるようにシステムのすべてが並べ替えられる。第１の代替的実施例において、望ましさの順序は保持され、望ましさの各レベルで、解析結果を用いて選択されたシステムは並べ替えられる。第２の代替的実施例において、各選択されたシステムに対する望ましさ情報は解析結果に基づいて調整され、次に、選択されたシステムのグループは、この調整された望ましさ情報を用いて並べ替えられる。第３の代替的実施例において、各システムに対応する解析結果が閾値より低い値のシステムは、選択されたシステムのグループから除外される。
【００１０】
次に、移動局は、無線通信システムの取得と登録を試行する。最初に、優先順位をつけ直された候補リストから優先度が最高レベルのシステムが選択され、選択されたシステムの取得と登録の試行がなされる。当技術分野において周知の従来のシステム取得方法を含む任意のシステム取得方法が使用されても良い。取得／登録の試行が成功しなければ、次に高い優先度を持っている無線通信システムが候補のリストから選択され、次の取得／登録が試行される。システム取得／登録の試行が成功するか、追加候補システムがなくなるまでこの処理は続く。好ましい実施例において、取得／登録の試行が成功すれば、その無線通信システムは以後の無線通信サービスに使用される。代替的実施例において、取得された無線通信システムはある既知の地域を有し、その地域内のより好ましい無線通信システムの取得と登録を試行する。
【００１１】
第１の代替的システム取得手順において、システム取得手続に従って、第１のシステムが選択される。最も最近に移動局によって用いられたシステムを選択することを含む任意のシステム取得手続を用いても良い。選択されたシステムの信号品質が測定され、そのシステムが取得される見込みがなければ、システム取得手続に従って、次のシステムが選択される。選択されたシステムが取得される見込みがあれば、その選択されたシステムの取得と登録を試行する。取得／登録試行が成功すれば、無線通信システムは以後の無線通信サービスに使用される。それ以外の場合は、システム取得手続に従って、次のシステムが選択される。
【発明を実施するための最良の形態】
【００１２】
当業者は、以下の好ましい実施例の詳細な説明を考察することにより、無線通信システムの効率的選択と取得のための方法および装置のより完全な理解、およびそこから付加的効果と目的の実現とを得ることができるだろう。添付図面が参照され、最初に簡潔に説明される。同じ参照記号は全般にわたり同一と取り扱う図面と共に、本発明の特徴、目的、および効果が、以下に記載された詳細な説明からより明らかになるだろう。
【００１３】
本発明の好ましい実施例を図１を参照して説明する。移動局２は少なくとも一つの基地局６によってサービスを受ける地域４で動作する。各基地局６はネットワーク８に接続されている。このネットワークは少なくとも一つの多元接続無線通信プロトコルをサポートする、より大きい無線通信システムの一部である。この無線通信システムは例えば符号分割多元接続（ＣＤＭＡ）、広帯域ＣＤＭＡ（ＷＣＤＭＡ）、先進移動電話サービス（ＡＭＰＳ）、ＧＳＭ、汎用パケット無線サービス（ＧＰＲＳ）または高データ信号速度（ＨＤＲ）技術（たとえば１ｘＥＶ技術）のようなものである。移動局２は、静止または移動に関わらず、少なくとも一つの基地局６と交信するように適合されており、携帯電話、ポケットベル、携帯情報端末（ＰＤＡ）、車両航法システムまたは携帯型計算機などのような任意の無線機器でもよい。好ましい実施例では、移動局はＣＤＭＡとＡＭＰＳモードの両方で動作するように適合された多モード機器である。
【００１４】
移動局２は好適ローミングリスト（ＰＲＬ）１０のような既知の無線通信システムのリストを含む。ＰＲＬ１０は移動局２の不揮発性メモリに格納され、また無線通信システムと、対応する取得パラメータのリストを含んでおり、このパラメータは無線通信システムの取得と登録を試行中に移動局２が利用するものである。好ましい実施例において、ＰＲＬ１０にリストされた無線通信システムは、地域によってグループ化され、各地域で最も望ましいシステムから最も望ましくないシステムまで並べ替えられる。当技術分野において知られているように、ＰＲＬ１０は移動局の無線サービスプロバイダによって保持され、その無線サービスプロバイダまたは移動局２へのローミングサービスの提供に合意している他の無線サービスプロバイダを通じて移動局２が利用することのできる無線通信システムのリストを含んでいても良い。
【００１５】
動作中に、移動局２は、移動局２に対して無線サービスを提供する利用可能な無線通信システムの取得と登録を試行する。最初に、予め定めたシステム取得手続に従って、無線通信システムの一つのグループがＰＲＬ１０から選択される。そのシステムのグループには、システム取得と登録試行中に移動局２によって使用されるかもしれない優先順位がある。例えば、好ましい実施例において、移動局の地域４内の複数の無線通信システムが選択され、各地域で最も望ましいシステムから最も望ましくないシステムまで並び替えられる。次に、選択された各システムに対応する受信信号が解析されて、各対応するシステムが移動局２によって取得される相対的尤度を決定する。さらに、無線通信システムのグループは、解析の結果に基づいて、より効率的なシステム取得順序を作るために優先順位をつけ直される。移動局２は、優先順位をつけ直されたグループから最も高い相対優先度を持っているシステムを選択し、選択されたシステムの取得と登録を試行する。もし取得／登録試行が成功すれば、選択されたシステムが移動局２によって無線通信用に使用される。それ以外の場合は、次に高い優先度を持っているグループからシステムの取得／登録を試行する。
【００１６】
図２を参照して移動局２の好ましい実施例を説明する。移動局２は処理回路８０、メモリ２４、通信用送受信機８４およびアンテナ８６を含む。好ましくは、処理回路８０は、移動局２の動作を制御するための制御プロセッサ９０、信号処理器９２、捜索器９４およびシステム決定ユニット９６を含む。好ましくは、メモリ２４はシステムテーブル１００および取得テーブル１０２を含み、好適ローミングリストを格納する揮発性および不揮発性のランダムアクセスメモリーを含む。メモリ２４は最も最近に使用されたシステム１０６のリストのような少なくとも一つのルックアップテーブル、および処理回路８０による実行のためのプログラム命令を含んでもよい。
【００１７】
捜索器９４はパイロット信号のような有効な信号、アンテナ８６を通して送受信機８４で受信した同期チャネルおよびページングチャネルを識別するように適合される。ＣＤＭＡ取得のための捜索器ハードウェアの設計と実施は米国特許番号５，１０９，３９０「ＣＤＭＡ携帯電話システムのダイバーシティ受信機」に記述されている。この発明は本発明の譲受人に譲渡され、ここに引用文献として組み込まれる。捜索器９４は、少なくとも一つの候補通信システムの予備的取得解析を行うようにさらに適合される。
【００１８】
システム決定ユニット９６はシステムテーブル１００から少なくとも一つの無線通信システムを選択し、取得テーブル１０２から対応する取得パラメータを検索するように適合される。システム決定ユニット９６は取得パラメータを捜索器９４に転送するようにさらに適合される。この捜索器は選択されたシステムの一つの取得を試行するものである。代替的実施例において、システム決定ユニット９６は、使用中の無線通信システムがその地域において最も望ましいシステムであるかどうかを決定し、より望ましいシステムが利用可能な時、移動局２によってより望ましいシステムの取得試行を開始する。複数の地域で動作可能な移動局において好ましいシステム選択を実行するための方法と装置は、米国特許番号６，０８５，０８５「好ましいシステム選択のための方法と装置」の中で開示されている。この発明は譲受人に譲渡され、ここに引用文献として組み込まれる。
【００１９】
図２に示す移動局２は単に例示的であり、代替的構成および付加的特徴は本発明の範囲と趣旨の中に意図されていることが理解されるべきである。例えば、移動局２の構成要素は、少なくとも一つのプロセッサ、メモリおよびＡＳＩＣなどの通常の回路素子を用いた種々のハードウェア構成で実施されても良い。また、音声通信、高速データ通信、映像通信、電子メールやＷＷＷ接続のようなインターネット用途、測位（例えば譲受人が開発したｇｐｓＯｎｅＴＭ）、個人用航法、音声認識、集積化リムーバブル蓄積機器、およびローカル周辺機器並びに機器との短距離無線接続に対して、移動局２は適合されても良い。好ましい実施例において、処理回路８０は、ＧＰＳベースの測位とデジタルおよびアナログ機能を集積する移動局モデムチップセットを含む。このチップセットは譲受人によって開発されたものである。
【００２０】
図２、および図３ａを参照してシステムテーブルの１００の好ましい実施例を説明する。システムテーブル１００は、移動局２が無線通信システムの取得と登録の試行中に用いる無線通信システムのリストを含む。例示されるように、システムテーブル１００内の各レコードはシステム識別子（ＳＩＤ）１００ａ、ネットワーク識別子（ＮＩＤ）１００ｂ、システムが好ましいか否定的かの指標（Ｐ／Ｎ）１００ｃ、システムがカバーする地域の識別子（地域）１００ｄ、望ましさ情報１００ｅ、および取得テーブル１０２内のレコードへのポインタ（ＡＴポインタ）１００ｆを好ましくは含む。システムテーブル１００にリストされている各無線通信システムは、ＳＩＤ１００ａ、ＮＩＤ１００ｂの一意的な組によって特定され、Ｐ／Ｎ１００ｃによって、ローミング中に移動局２によって使われるかもしれない好ましいシステムとして指定されるか、あるいは、ローミング中に移動局２によって使われるべきでない否定的システムとして指定される。代替的実施例において、システムテーブル１００にリストされている無線通信システムは、他のシステム識別子、例えば一意的な帯域、モード並びに周波数、およびインターネットプロトコル第６版（ＩＰｖ６）アドレスあるいは公衆陸上移動ネットワーク（ＰＬＭＮ）識別子を用いて特定されても良い。無線通信システムは、好ましくは、地域１００ｄによってグループ化され、システムテーブル１００内に、望ましさ情報１００ｅを用いて、各地域内で最も望ましいシステムから最も望ましくないシステムまで順序づけて格納される。
【００２１】
図３ｂを参照して取得テーブル１０２の好ましい実施例を説明する。取得テーブル１０２は，システムテーブル１００内にリストされた無線通信システムの取得に必要なパラメータのリストを含む。図示したように、取得テーブル１０２内の各レコードは好ましくはモード１０２ａ、帯域１０２ｂ、および周波数１０２ｃを含む。システムテーブル１００および取得テーブル１０２は、好ましくは、不揮発性メモリに格納され、定期的に移動局の無線サービスプロバイダのような外部情報源によって、無線接続を通じまたは他のデータ転送法によってダウンロードすることにより更新される。ＰＲＬ、システムテーブル１００並びに取得テーブル１０２に対する代替的構成、および、代替的識別並びに取得パラメータを本発明に従って用いても良いことが理解されるだろう。
【００２２】
図４に示すように、メモリは少なくとも一つのルックアップテーブル１０４を含む。好ましい実施例において、ルックアップテーブルは移動局２によって最も最近に用いられたシステムのリストを格納する最も最近使用された（ＭＲＵ）システムテーブル１０４ａ、取得候補として選択されたことのあるシステムのリストを含む候補リスト１０４ｂ、および移動局２に対するローカル優先度設定を保持する優先度テーブル１０４ｃを含む。他の各システムの利用を追跡する履歴情報を含む情報も、ルックアップテーブルに格納されても良い。ルックアップテーブルは好ましくはメモリ２４の揮発性部分に収納されるが、代替的実施例においては、少なくとも一つのルックアップテーブルがメモリ２４の不揮発性の部分に格納されても良い。
【００２３】
移動局２のための好ましいシステム取得手順を、図２および図５のフローチャートを参照して説明する。システム取得手順は、好ましくはシステム決定ユニット９６によって実行される。ステップ２００において、予め定められたシステム取得手続に従って、格納されたシステムのリストから無線通信システムのグループが選択される。好ましい実施例において、システムテーブル１００から移動局の地域４内の複数の無線通信システムが選択され、対応するシステム識別子がメモリ２４内の候補リスト１０４ｂに格納される。代替的実施例において、候補リスト１０４ｂは選択された複数のシステムに対応する取得パラメータおよび望ましさ情報などの他のデータを含んでも良い。候補リスト１０４ｂは予め定められたシステム取得手続によって定められたような優先度の初期順序（例えば最も望ましいシステムから最も望ましくないシステムまで）に好ましくは並べ替えられる。ＰＲＬを用いたシステム選択を示したが、本発明の好ましい実施例に従って他のシステム取得手続を用いても良いことが理解されるだろう。例えば、代替的実施例において、システム取得手続は、ＭＲＵ１０４ａまたは他の格納済みシステムリストからの、システムグループの選択を含んでも良い。
【００２４】
当技術分野において知られているように、システムテーブル１００は、システム取得／登録試行中に移動局２によって用いられる好ましいシステム取得順序を特定する。しかしながら、このシステム取得順序は無線通信システムを取得し登録するための最も効率的なシステム選択順序とは限らない。システムテーブル１００によって特定された選択順序は、移動局の無線サービスプロバイダによって、各リストされたシステムが移動局２によって取得される尤度に関係のない要素に基づいて通常決定されている。例えば、各システムの望ましさは、そのシステムを使用する費用、そのシステムによって提供される通信サービス品質、そのシステムが用いるプロトコル、独自の特徴のサポート、および移動局２がその無線通信システムの加入者としてリストされているかどうかなどの評価基準を用いて決定されるかもしれない。
【００２５】
システム取得／登録処理の効率を高めるために、移動局２は候補リスト１０４ｂ内の各システムに対応する受信信号を解析し（ステップ２０２）、その解析の結果に基づいてシステム取得順序を調整する（ステップ２０４）。第１の好ましい実施例では、受信信号の解析は、各システムの受信信号強度（Ｒｘ）の測定を含む。動作において、捜索器９４はメモリ２４に格納された候補リスト１０４ｂ内で、特定されたシステムを一つずつ捜索する。代替的実施例において、候補リストはシステム決定ユニット９６から捜索器９４に伝送されても良い。リストされた各システムに対し、捜索器９４は、送受信機８４にシステムの対応チャネルに切り替えるように命令する。次に受信信号強度が測定され、候補リスト１０４ｂ内に格納される。受信信号強度の測定値が比較的低い場合、候補システムが取得に利用できる確率は低いだろう。受信信号強度の測定値が比較的高い場合、候補システムが取得される確率は大きいだろう。システムグループに対する信号強度測定はグループ内の各システムの取得と登録の試行よりも十分に短時間で通常完了できることが理解されるだろう。代替的実施例においては、候補システムが取得される見込みがあるかどうかの決定を助ける他のテストが受信信号に関して実行されても良い。
【００２６】
第１の代替的実施例において、受信信号の解析は、受信信号がＣＤＭＡ信号でありそうかを決定することを含む。この実施例において、システム決定ユニット９６は、信号対雑音比ＥＣ／Ｉ０を測定するように捜索器９４に命令する。ここで、ＥＣは受信信号強度、Ｉ０はチャネル上の全受信熱雑音である。ＣＤＭＡシステムにおいては、この測定は使用可能な受信信号の部分に対して指標を与える。ＥＣ／Ｉ０が比較的大きい場合、そのシステムが取得される確率が高い。ＥＣ／Ｉ０は、生の測定信号強度よりも、信号が取得される見込みがあるかどうかのより信頼できる指標を与える。
【００２７】
第２の代替的実施例において、システム決定ユニット９６と捜索器９４は、複数のテストモードと取得方法をサポートし、単独または組み合わせて少なくとも一つの解析方法を用いるように適合されても良い。テストモードはユーザの選択、移動局の構成、移動局の現在の動作状態または他の基準によって決定されても良い。捜索器９４は、好ましくは、システム決定ユニット９６から受けた命令に従って動作し、システム決定ユニット９６は、候補システムテスト命令とシステム取得命令を送るように適合される。候補システムテスト命令は、候補リストを特定するためのパラメータ、各システムに関して実行されるテストの識別子、および各候補システムが満たすべき最小閾値を含む。捜索器９４は、受信した命令を実行し、テスト要求事項を満たす複数の候補システムを返す。好ましい実施例において、捜索器９４はメモリに格納された候補リストを変更する。システム決定ユニット９６はテスト結果を解析し、捜索器９４に候補リストを特定するパラメータを含むシステム取得命令を送るようにさらに適合される。
【００２８】
ステップ２０４において、選択されたシステムのグループは、解析に基づいて優先順位をつけ直されて、より効率的なシステム取得順序を形成する。好ましい実施例において、取得される尤度が最高のシステムが最初に選択されるように、すべてのシステムが並べ直される。第１の代替的実施例において、複数の選択されたシステムは同じレベルの望ましさを持っている。望ましさの各レベルで、選択されたシステムは測定信号強度を用いて、最も取得される見込みのあるシステムから取得される最も見込みのないシステムまで、並べ直される。第２の代替的実施例において、各選択されたシステムに対する望ましさ情報はテスト測定値に基づいて調整される。例えば、信号強度測定値が第１の閾値より大きいシステムの相対的な望ましさは上方に調整されても良い。一方信号強度測定値が第２の閾値より小さいシステムの相対的な望ましさは下方に調整されても良い。次に、選択されたシステムのグループは、上記調整された望ましさ情報を用いて並べ直される。第３の代替的実施例において、閾値より低いテスト信号品質を持つシステムは選択されたシステムのグループから除外される。例えば、−９０ｄＢより低い測定信号強度に対応する候補システムは候補リストから除外されるかもしれない。他の基準が、また、候補システムを排除し並べ替えるために用いられても良い。例えば、測定信号強度、システムが最近使用されたかどうか、望ましさ順位、および他の情報を考慮に入れた重み係数が使用されても良い。
【００２９】
選択されたシステムのグループが優先順位をつけ直された後に、移動局２は、グループ内の無線通信システムの１つの取得と登録を試行する。ステップ２０６において、最高レベルの優先度を持っているシステムが候補リスト１０４ｂから選択される。好ましい実施例において、このシステムは、信号強度測定のような測定信号品質に基く取得／登録試行が成功する比較的高い望ましさレベルおよび高い尤度を持っている。ステップ２０８において、選択されたシステムの取得と登録を試行する。当技術分野において周知の通常のシステム取得方法を含む任意のシステム取得方法が用いられても良い。好ましい実施例において、移動局２は、ＣＤＭＡシステムを取得するように適合される。ＣＤＭＡシステムを取得するために、捜索器９４は選択されたＣＤＭＡシステムの通信チャネルへの切り替えを送受信機８４に命令し、パイロット信号を受信しようとする。捜索器９４は、受信信号内の種々の擬似ランダム雑音（ＰＮ）オフセットを、整合が得られるまでテストすることにより受信パイロット信号の照合を試みる。パイロット信号が取得されると、処理回路８０はＣＤＭＡフォワードチャネルのための情報と信号復調のための位相基準を受信する。次に、処理回路８０は、特定されたパイロットチャネルに関連した同期チャネル取得を試行する。この同期チャネルは送信無線通信システム並びにネットワークの一意的なＳＩＤ／ＮＩＤような基本システム情報、および同期情報を送信する。処理回路８０は、受信情報に従ってタイミングを調整し、次に、基地局のページングチャネルに切り替える。移動局２がトラヒックチャネルに割り当てられていない時、ページングチャネルは、移動局２と交信する現在の通信システムのローカル基地局により用いられる。ページングチャネルを通じて、基地局は入力電話呼び出しまたは受信ボイスメールメッセージの通知のような入力メッセージを移動局２に通知する。
【００３０】
取得／登録試行が成功の場合（ステップ２１０）、選択されたシステムは無線通信のために移動局２によって用いられる。取得／登録試行が不成功の場合、ステップ２１２で次の優先順位の無線通信システムが候補リストから選択され、制御は次の取得／登録試行のためにステップ２０８に戻る。捜索器９４が選択されたシステムを取得することができない場合（ステップ２１０）、捜索器９４は、無線通信システムが取得されるかまたは候補システムがなくなるまで、選択順位に従って、残った各システムの取得を試行するだろう。代替的実施例において、取得／登録試行がステップ２１０で成功した場合、現地域内の選択されたシステムよりも望ましいシステムのグループ選択のために、処理はステップ２００に戻る。
【００３１】
代替的システム取得手順を図６のフローチャートで示す。ステップ２５０において、システム取得手続に従って、第１のシステムが選択される。最も最近に移動局２によって用いられたシステムを選択することを含む任意のシステム取得手続が用いられても良い。選択されたシステムの信号品質はステップ２５２で測定される。そのシステムが取得される見込みがあれば（ステップ２５４）、ステップ２５６で選択されたシステムの取得と登録の試行をする。好ましい実施例において、測定信号品質が予め定めた閾値を超える場合、システムは取得される見込みがある。システムが取得される見込みがなければ、ステップ２６０でシステム取得手続に従って、次のシステムが選択される。取得／登録試行が成功すれば（ステップ２５８）、移動局２は以後の無線通信サービスのために選択されたシステムを用いる。取得／登録試行が不成功であれば、ステップ２６０で次の無線通信システムが選択され、制御はステップ２５２に戻る。
【００３２】
上述してきたように、無線通信システムの効率的選択と取得のための方法および装置の好ましい実施例について説明したことにより、本文中で説明されたシステムの確かな効果が達成されたということは、当業者に取って明白だろう。また、それについて種々の変更、適合、および代替的実施例が本発明の範囲と趣旨の中でなされ得ることが理解されるべきである。
【図面の簡単な説明】
【００３３】
【図１】本発明の好ましい実施例。
【図２】本発明の好ましい実施例に従う移動局。
【図３ａ】本発明の好ましい実施例に従うシステムテーブル。
【図３ｂ】本発明の好ましい実施例に従う取得テーブル。
【図４】本発明の好ましい実施例に従う移動局によって使用される好ましいルックアップテーブル。
【図５】好ましいシステム選択と取得手続を示すフローチャート。
【図６】代替的システム選択と取得手続を示すフローチャート。
【図１】
2006504291.tif 000003
【図２】
2006504291.tif 000004
【図３ａ】
2006504291.tif 000005
【図３ｂ】
2006504291.tif 000006
【図４】
2006504291.tif 000007
【図５】
2006504291.tif 000008
【図６】
2006504291.tif 000009
【国際調査報告】
2006504291.tif 000010
2006504291.tif 000011
2006504291.tif 000012